(57)【特許請求の範囲】
【請求項１】
２つの光源モジュールと、
棒状に形成され長手方向の両方の端面が前記２つの光源モジュールのそれぞれから発せられる光が入射する入射面である導光体と、
を有し、
前記光源モジュールは、
光源と、
前記光源が実装される回路基板と、
を有し、
前記２つの光源モジュールの前記回路基板は共通の構成であり、
前記回路基板の両面には、前記光源を実装するための端子が設けられ、
前記回路基板の少なくとも片面には、外部からの給電のための外部接続用端子が設けられ、
前記光源を実装するための端子の各々は、配線パターン、又は、配線パターン及びスルーホールを介して、前記外部接続用端子の少なくとも一つと接続されており、
前記２つの光源モジュールのうちの一方の光源モジュールに適用される前記回路基板には、一方の表面に光源が実装され、
前記２つの光源モジュールのうちの他方の光源モジュールに適用される前記回路基板には、前記一方の表面とは反対側の表面に光源が実装されている
ことを特徴とする照明装置。
【請求項２】
前記外部接続用端子は、前記一方の表面に設けられる前記光源を実装するための端子と、前記一方の表面とは反対側の表面に設けられる前記光源を実装するための端子とで、共用されることを特徴とする請求項１に記載の照明装置。
【請求項３】
前記２つの光源の前記光源は、共通の構成を有することを特徴とする請求項１に記載の照明装置。
【請求項４】
前記２つの光源モジュールは、ぞれぞれの光源が実装される側から見て左右対称の形状であることを特徴とする請求項１に記載の照明装置。
【請求項５】
前記回路基板は、前記一方の表面に垂直な方向視において左右非対称な形状であることを特徴とする請求項１に記載の照明装置。
【請求項６】
前記回路基板は、前記一方の表面に垂直な方向視において、副走査方向の一側寄りに切欠き部が形成されることを特徴とする請求項５に記載の照明装置。
【請求項７】
前記導光体は、該導光体と前記光源モジュールとを位置決めする位置決め部を有し、
前記切欠き部と前記位置決め部とが嵌合することで前記導光体と前記光源モジュールを位置決めすることを特徴とする請求項６に記載の照明装置。
【請求項８】
前記光源は、表面実装型のＬＥＤパッケージであることを特徴とする請求項１に記載の照明装置。
【請求項９】
照明装置と、
前記照明装置から出射されて被照明体で反射した反射光を集光する集光体と、
前記集光体によって集光された反射光を受光して電気信号に変換するイメージセンサと、
前記イメージセンサが実装された回路基板と、
を有し、
前記照明装置は、請求項１に記載の照明装置である
ことを特徴とするイメージセンサユニット。
【請求項１０】
イメージセンサユニットと被照明体とを相対的に移動させながら、前記被照明体からの反射光を読み取る紙葉類識別装置であって、
前記イメージセンサユニットは、請求項９に記載のイメージセンサユニットである
ことを特徴とする紙葉類識別装置。
【請求項１１】
イメージセンサユニットと被照明体とを相対的に移動させながら、前記被照明体からの反射光を読み取る画像読取装置であって、
前記イメージセンサユニットは、請求項９に記載のイメージセンサユニットである
ことを特徴とする画像読取装置。
【請求項１２】
イメージセンサユニットと被照明体とを相対的に移動させながら、前記被照明体からの反射光を読み取る画像読取手段と、
記録媒体に画像を形成する画像形成手段と、
を備える画像形成装置であって、
前記イメージセンサユニットは、請求項９に記載のイメージセンサユニットである
ことを特徴とする画像形成装置。
【発明の詳細な説明】
【技術分野】
【０００１】
本発明は、照明装置、イメージセンサユニット、紙葉類識別装置、画像読取装置および画像形成装置に関する。
【背景技術】
【０００２】
紙葉類識別装置や画像読取装置には、被照明体としての紙幣や原稿を読み取るイメージセンサユニットが用いられている。このようなイメージセンサユニットの照明装置には、光源と、光源が発する光を線状化する棒状の導光体を有するものがある。たとえば、特許文献１には、イメージセンサユニットの照明装置において、導光体の長手方向の両端部に光源が配置される構成が開示されている。このような構成においては、導光体の両端には、光源からの光が入射する光入射面が形成される。そして光源は、導光体の光入射面に光を照射できるようにそれぞれ配置される。【０００３】
イメージセンサユニットの照明装置の光源として、表面実装型のＬＥＤパッケージが用いられることがある。特許文献２には、表面実装型のＬＥＤパッケージが実装されたプリント基板からなる白色発光装置が開示されている。そして、この特許文献２には、この白色発光装置がＣＩＳ用プリント基板に接続される構成が開示されている。【０００４】
ところで、ＬＥＤパッケージが実装される回路基板は小型であるため、コストダウンが図りにくい。また、導光体の両端部のそれぞれに光源が配設される構成では、ＬＥＤが実装される回路基板の構成が互いに相違する。このため、部品の種類が増加してコストダウンが図りにくい。
【先行技術文献】
【特許文献】
【０００５】
【特許文献１】特開２０１２−２５３７４７号公報
【特許文献２】特開２０１１−０４０３６６号公報
【発明の概要】
【発明が解決しようとする課題】
【０００６】
上述した実情に鑑み、本発明が解決しようとする課題は、導光体の両端部に配設される回路基板の共通化を図り、部品の種類を減らすことである。
【課題を解決するための手段】
【０００７】
本発明の照明装置は、２つの光源モジュールと、棒状に形成され長手方向の両方の端面が前記２つの光源モジュールのそれぞれから発せられる光が入射する入射面である導光体と、を有し、前記光源モジュールは、光源と、前記光源が実装される回路基板と、を有し、前記２つの光源モジュールの前記回路基板は共通の構成であり、前記回路基板の両面には、前記光源を実装するための端子が設けられ、前記回路基板の少なくとも片面には、外部からの給電のための外部接続用端子が設けられ、前記光源を実装するための端子の各々は、配線パターン、又は、配線パターン及びスルーホールを介して、前記外部接続用端子の少なくとも一つと接続されており、前記２つの光源モジュールのうちの一方の光源モジュールに適用される前記回路基板には、一方の表面に光源が実装され、前記２つの光源モジュールのうちの他方の光源モジュールに適用される前記回路基板には、前記一方の表面とは反対側の表面に光源が実装されていることを特徴とする。
【発明の効果】
【０００８】
本発明によれば、導光体の両端部に配設される回路基板の共通化を図ることができるから、照明装置を構成する部品の種類を減らすことができる。
【図面の簡単な説明】
【０００９】
【図１】図１は、照明装置の構成例を模式的に示す分解斜視図である。
【図２Ａ】図２Ａは、一方の光源モジュール（第１の光源モジュール）の構成を模式的に示す外観斜視図である。
【図２Ｂ】図２Ｂは、他方の光源モジュール（第２の光源モジュール）の構成を模式的に示す外観斜視図である。
【図３】図３は、ＬＥＤパッケージにおける端子とＬＥＤ素子との電気的な接続構成を模式的に示す図である。
【図４Ａ】図４Ａは、光源基板の一方の表面（Ａ面）の構成を模式的に示す図である。
【図４Ｂ】図４Ｂは、光源基板の図４Ａとは反対側の表面（Ｂ面）の構成を模式的に示す図である。
【図５】図５は、光源モジュールの配線構成を模式的に示す図である。
【図６】図６は、光源基板の外部接続用パッドとＬＥＤモジュールとの電気的な接続構成を模式的に示す図である。
【図７】図７は、照明装置の主走査方向の端部近傍の構成例を模式的に示す斜視図である。
【図８】図８は、イメージセンサユニットの構成例を示す分解斜視図である。
【図９】図９は、イメージセンサユニットの構成例を示す外観斜視図である。
【図１０】図１０は、イメージセンサユニットの主走査方向の端部近傍の内部構成を模式的に示す断面図である。
【図１１】図１１は、紙葉類識別装置の構成を模式的に示す断面図である。
【図１２】図１２は、透過照明装置を有する紙葉類識別装置の構成を模式的に示す断面図である。
【図１３】図１３は、２組のイメージセンサユニットを有する紙葉類識別装置の構成を模式的に示す断面図である。
【図１４】図１４は、フラットベッド方式のスキャナーの構成を模式的に示す外観斜視図である。
【図１５】図１５は、シートフィード方式のスキャナーの構成を示す断面模式図である。
【図１６】図１６は、画像形成装置の外観斜視図である。
【図１７】図１７は、画像形成装置の筺体の内部に設けられる画像形成部を抜き出して示す斜視図である。
【発明を実施するための形態】
【００１０】
以下、本発明を適用できる実施形態について、図面を参照して詳細に説明する。本発明の実施形態は、照明装置と、この照明装置を有するイメージセンサユニットと、このイメージセンサユニットを有する紙葉類識別装置、画像読取装置および画像形成装置である。各図においては、三次元の各方向を、Ｘ，Ｙ，Ｚの各矢印で示す。Ｘ方向は、照明装置が適用されたイメージセンサユニットの主走査方向である。Ｙ方向は、イメージセンサユニットの副走査方向である。Ｚ方向は、イメージセンサユニットの上下方向である。ここでは、被照明体の側を上側とする。本発明の実施形態である照明装置は、イメージセンサユニットに組み込まれて用いられる。イメージセンサユニットは、被照明体に対して副走査方向に相対的に移動しながら、照明装置によって被照明体に光を照射し、その反射光または透過光によって被照明体の画像を読み取る。また、本発明において、「光」とは、可視光線のみならず、紫外線、赤外線などの可視光線以外の波長帯域の電磁波を含むものとする。
【００１１】
（照明装置）
まず、照明装置の構成について説明する。図１は、照明装置２の構成例を模式的に示す分解斜視図である。図１に示すように、照明装置２は、導光体２１と、導光体２１の主走査方向（長手方向）の両端部のそれぞれに配設される２つの光源モジュール３ａ，３ｂと、導光体２１に取り付けられる導光体カバー２２とを有する。
【００１２】
導光体２１は、光源モジュール３ａ，３ｂが発する光を線状化する光学部材である。導光体２１は、全体として主走査方向に細長い棒状の構成を有する。また、導光体２１は、アクリル系の樹脂などといった透明の樹脂材料からなり、射出成形などによって一体に形成される。導光体２１の主走査方向の両端面には、光源モジュール３ａ，３ｂが発する光が入射する光入射面２１１が形成される。導光体２１の側面には、主走査方向に細長い帯状の光拡散面２１２と光出射面２１３とが設けられる。光拡散面２１２は、光入射面２１１から入射した光を拡散させるための面である。光拡散面２１２には、たとえば、光を拡散させるためのプリズム状の構造物が形成される。また、光拡散面２１２は、その表面に光を拡散させるためのパターンが印刷される構成であってもよい。光出射面２１３は、光入射面２１１から入射した光を被照明体Ｐに向けて出射する面である。このほか、導光体２１の主走査方向の端部には、導光体カバー２２と位置決めするための係合部２１４が設けられる。係合部２１４としては、たとえば副走査方向に突出する突起状の構造物が適用できる。
【００１３】
導光体カバー２２は、光を拡散させる機能と、光の利用効率の向上を図る機能とを有する。導光体カバー２２は、主走査方向に細長い棒状の構成を有し、主走査方向に直角な面で切断した断面形状が略『Ｕ』字形状に形成される。導光体カバー２２には、光反射面２２１が設けられる。光反射面２２１は、導光体２１の光拡散面２１２から外部に出射した光を反射させて、再び導光体２１の内部に入射させるための面である。導光体カバー２２の『Ｕ』字の内側の面の一部または全部が、光反射面２２１となる。このような機能を実現するため、導光体カバー２２は、たとえば酸化チタンの粉末が混合されたポリカーボネートなどといった、光の反射率が高い材料によって形成される。なお、光反射面２２１は、導光体２１の光拡散面２１２と同様に、主走査方向に延伸する細長い帯状に形成される。そして光反射面２２１は、導光体カバー２２が導光体２１に取り付けられた状態で、導光体２１の光拡散面２１２を覆うか、または導光体２１の光拡散面２１２に対向する。
【００１４】
導光体カバー２２の主走査方向（長手方向）の端部近傍には、導光体２１の係合部２１４が係合する被係合部２２２が設けられる。導光体２１の係合部２１４が副走査方向に突出する突起であれば、導光体カバー２２の被係合部２２２は、副走査方向に貫通する貫通孔または副走査方向に窪む凹部が適用される。さらに、導光体カバー２２の主走査方向の両端面には、後述する光源モジュール３ａ，３ｂを位置決めするための位置決め部２２３が設けられる。位置決め部２２３としては、導光体カバー２２の両端面のそれぞれから主走査方向外側に向かって突出する突起が適用される。本実施形態では、位置決め部２２３として、副走査方向に所定の間隔をおいて並ぶように設けられる２つの円柱状の突起を示す。
【００１５】
次に、光源モジュール３ａ，３ｂの構成について説明する。図２Ａと図２Ｂは、２つの光源モジュール３ａ，３ｂの構成を模式的に示す外観斜視図である。説明の便宜上、２つの光源モジュールの一方を第１の光源モジュール３ａと記し、他方を第２の光源モジュール３ｂと記す。
【００１６】
２つの光源モジュール３ａ，３ｂの全体的な構成は、次のとおりである。２つの光源モジュール３ａ，３ｂは、光源３１と、この光源３１が実装された光源基板３２とから構成される。光源基板３２は、両面に光源３１を実装可能な両面配線型の回路基板であり、２つの光源モジュール３ａ，３ｂで共通の構成を有する。図２Ａと図２Ｂに示すように、光源基板３２の表面には、光源３１を実装するための素子用パッド３２１ａ〜３２１ｆと、外部の主回路基板１３に接続するための外部接続用端子の例である外部接続用パッド３２２ａ〜３２２ｆが設けられる。さらに、光源基板３２には、所定の素子用パッド３２１ａ〜３２１ｂと所定の外部接続用パッド３２２ａ〜３２２ｆとを接続する配線パターン３２３およびスルーホール３２４が設けられる。そして、光源基板３２に実装される光源３１は、外部接続用パッド３２２ａ〜３２２ｆと、配線パターン３２３およびスルーホール３２４と、素子用パッド３２１ａ〜３２１ｆとを介して、外部から給電を受けて発光する。このほか、光源基板３２には、導光体２１に位置決めするための位置決め部３２５が形成される。また、光源基板３２の下部の副走査方向の一側寄りには切欠部３１６が形成される。このため、光源基板３２は、主走査方向視において、略『Ｌ』字形状に形成される。
【００１７】
そして、光源基板３２の所定の片側表面に光源を実装することにより第１の光源モジュール３ａが構成され、光源基板３２の反対側の片側表面に光源を実装することにより第２の光源モジュール３ｂが構成される。すなわち、光源基板３２のいずれの片側表面に光源３１を実装するかによって、２つの光源モジュール３ａ，３ｂが作り分けられる。なお、光源３１も、２つの光源モジュール３ａ，３ｂで共通の構成が適用できるが、異なる構成であってもよい。
【００１８】
光源３１には、表面実装型のＬＥＤパッケージが適用される。本実施形態では、光源３１の例として、４つのＬＥＤ素子３１１Ｒ（赤色（Ｒ）），３１１Ｇ（緑色（Ｇ）），３１１Ｂ（青色（Ｂ）），３１１Ｉ（赤外線（Ｉｒ））（図５参照）と、６つの端子３１２とを有する表面実装型のＬＥＤパッケージが適用される構成を示す。また、本実施形態では、２つの光源モジュール３ａ，３ｂに共通の光源３１（ＬＥＤパッケージ）が適用される構成を示す。図３は、本実施形態に適用される光源３１（ＬＥＤパッケージ）における、各ＬＥＤ素子３１１Ｒ，３１１Ｇ，３１１Ｂ，３１１Ｉと各端子３１２との電気的な接続を示す表である。図３に示すように、端子番号＃１の端子３１２は、緑色のＬＥＤ素子３１１Ｇのカソードに接続される。端子番号＃２の端子３１２は、赤色のＬＥＤ素子３１１Ｒのカソードに接続される。端子番号＃３の端子３１２は、赤色のＬＥＤ素子３１１Ｒおよび赤外線のＬＥＤ素子３１１Ｉのアノードに接続される。端子番号＃４の端子３１２は、赤外線のＬＥＤ素子３１１Ｉのカソードに接続される。端子番号＃５の端子３１２は、青色のＬＥＤ素子３１１Ｂのカソードに接続される。端子番号＃６の端子３１２は、緑色のＬＥＤ素子３１１Ｇと青色のＬＥＤ素子３１１Ｂのアノードに接続される。なお、この構成は一例であり、本発明の光源３１は、このような構成のＬＥＤパッケージに限定されるものではない。
【００１９】
光源基板３２には、両面配線型の回路基板が適用される。光源基板３２の両面には、光源３１（ＬＥＤパッケージ）の端子３１２のそれぞれを接続するための所定の数の素子用パッド３２１ａ〜３２１ｆが設けられる。光源３１に６つの端子３１２を有するＬＥＤパッケージが適用される構成であれば、光源基板３２の両面に、６つずつの素子用パッド３２１が設けられる。また、光源基板３２には、イメージセンサユニット１の主回路基板１３（後述）に設けられる配線パターンと接続するための所定の数の外部接続用パッド３２２ａ〜３２２ｆが設けられる。本実施形態では、実装される光源３１の端子３１２と同数の外部接続用パッド３２２ａ〜３２２ｆが設けられる。なお、外部接続用パッド３２２ａ〜３２２ｆは、光源基板３２の両面に分散して設けられる構成であってもよく、片面にのみ集中して設けられる構成であってもよい。ここでは、６つの外部接続用パッド３２２ａ〜３２２ｆが、光源基板３２の両面に３つずつ（すなわち半数ずつ）に分けて設けられる構成を示す。さらに、光源基板３２には、所定の素子用パッド３２１ａ〜３２１ｆと所定の外部接続用パッド３２２ａ〜３２２ｆとを電気的に接続するための配線パターン３２３およびスルーホール３２４が設けられる。
【００２０】
ここで、外部接続用パッド３２２ａ〜３２２ｆ、素子用パッド３２１ａ〜３２１ｆ、配線パターン３２３およびスルーホール３２４の構成について、図４Ａと図４Ｂを参照して説明する。図４Ａと図４Ｂは、光源基板３２の構成を模式的に示す平面図であり、互いに反対側の面を示す図である。説明の便宜上、図４Ａに示す片側表面を「Ａ面」と記し、図４Ｂに示す片側表面を「Ｂ面」と記す。図４Ａに示すように、光源基板３２のＡ面には、６つの素子用パッド３２１ａ〜３２１ｆ（パッド番号＃Ａ１〜＃Ａ６）と、６つのうちの３つの外部接続用パッド３２２ａ〜３２２ｃ（パッド番号＃１〜＃３）が設けられる。図５Ｂに示すように、Ａ面の反対側の表面であるＢ面にも、６つの素子用パッド３２１ａ〜３２１ｆ（パッド番号＃Ｂ１〜＃Ｂ６）と、残りの３つの外部接続用パッド３２２ｄ〜３２２ｆ（パッド番号＃４〜＃６）が設けられる。
【００２１】
Ａ面のパッド番号＃１の外部接続用パッド３２２ａは、配線パターン３２３によってＡ面のパッド番号＃Ａ２の素子用パッド３２１ｂに電気的に接続される。また、スルーホール３２４および配線パターン３２３を介して、Ｂ面のパッド番号＃Ｂ２の素子用パッド３２１ｂにも電気的に接続される。Ａ面のパッド番号＃２の外部接続用パッド３２２ｂは、配線パターン３２３によってＡ面のパッド番号＃Ａ３の素子用パッド３２１ｃに電気的に接続される。また、スルーホール３２４および配線パターン３２３を介して、Ｂ面のパッド番号＃Ｂ１の素子用パッド３２１ａにも電気的に接続される。Ａ面のパッド番号＃３の外部接続用パッド３２２ｃは、配線パターン３２３によって、Ａ面のパッド番号＃Ａ１の素子用パッド３２１ａに電気的に接続される。また、スルーホール３２４および配線パターン３２３を介して、Ｂ面のパッド番号＃Ｂ３の素子用パッド３２１ｃにも電気的に接続される。
【００２２】
Ｂ面のパッド番号＃４の外部接続用パッド３２２ｄは、配線パターン３２３によって、Ｂ面のパッド番号＃Ｂ４の素子用パッド３２１ｄに電気的に接続される。また、スルーホール３２４および配線パターン３２３を介して、Ａ面のパッド番号＃Ａ６の素子用パッド３２１ｆにも電気的に接続される。Ｂ面のパッド番号＃５の外部接続用パッド３２２ｅは、配線パターン３２３によって、Ｂ面のパッド番号＃Ｂ５の素子用パッド３２１ｅに電気的に接続される。また、スルーホール３２４および配線パターン３２３を介して、Ａ面のパッド番号＃Ａ５の素子用パッド３２１ｅにも電気的に接続される。Ｂ面のパッド番号＃６の外部接続用パッド３２２ｆは、スルーホール３２４および配線パターン３２３によって、Ｂ面のパッド番号＃Ｂ６の素子用パッド３２１ｆに電気的に接続される。また、スルーホール３２４および配線パターン３２３を介して、Ａ面のパッド番号＃Ａ４の素子用パッド３２１ｄにも電気的に接続される。このように、所定の外部接続用パッド３２２ａ〜３２２ｆは、Ａ面およびＢ面の所定の素子用パッド３２１ａ〜３２１ｆに電気的に接続される。そして、本実施形態では、外部接続用パッド３２２ａ〜３２２ｆが、Ａ面およびＢ面の素子用パッド３２１ａ〜３２１ｆで共用される。
【００２３】
ここで、図５と図６を参照して、光源基板３２の外部接続用パッド３２２ａ〜３２２ｆと光源３１の各端子３１２との電気的な接続構成について説明する。図５は、光源３１が実装された光源モジュール３ａ，３ｂの回路構成を模式的に示す図である。図６は、外部接続用パッド３２２ａ〜３２２ｆと光源３１の各ＬＥＤ素子３１１Ｒ，３１１Ｇ，３１１Ｂ，３１１Ｉとの電気的な接続構成を示す表である。なお、図５においては、２つの光源モジュール３ａ，３ｂをまとめて説明するため、Ａ面とＢ面の両方にＬＥＤパッケージが実装される場合の構成を示す。ただし実際には、光源基板３２のいずれか一方の表面に選択的に光源３１が実装される。そして、図５と図６に示すように、光源３１がＡ面に実装される場合とＢ面に実装される場合とで、外部接続用パッド３２２ａ〜３２２ｆを共用することになる。
【００２４】
図５に示すように、Ａ面においては、パッド番号＃Ａ１〜＃Ａ６の素子用パッド３２１ａ〜３２１ｆと、光源３１の端子番号＃１〜＃６の端子３１２とが、パッド番号および端子番号の若い順に一対一で対応するように接続される。Ｂ面においても同様に、パッド番号＃Ｂ１〜＃Ｂ６の素子用パッド３２１ａ〜３２１ｆと、光源３１の端子番号＃１〜＃６の端子３１２とが、パッド番号および端子番号の若い順に一対一で対応するように接続される。このような構成であると、図６に示すように、外部接続用パッド３２２ａ〜３２２ｆと端子３１２との電気的な接続構成が、Ａ面とＢ面とで一部異なることになる。すなわち、共通の構成を有する光源３１が光源基板３２に実装されると、２つの光源モジュール３ａ，３ｂで、ピンアサインが相違する。そこで、本実施形態では、ピンアサインの相違は、イメージセンサユニット１の主回路基板１３に設けられる配線パターンによって対応する。
【００２５】
このような構成によれば、光源基板３２のＡ面とＢ面のいずれに光源３１が実装される場合であっても、外部接続用パッド３２２ａ〜３２２ｆを介して光源３１に給電できる。また、このような構成によれば、Ａ面に光源３１が実装される場合と、Ｂ面に光源３１が実装される場合とで、外部接続用パッド３２２ａ〜３２２ｆが共用できる。本実施形態に示す例では、端子番号＃１の外部接続用パッド３２２ａは、光源３１がＡ面に実装される場合の赤色のＬＥＤ素子３１１Ｒのカソードと、Ｂ面に実装される場合の赤色のＬＥＤ素子３１１Ｒのカソードとで共用される。端子番号＃２の外部接続用パッド３２２ｂは、光源３１がＡ面に実装される場合の赤色のＬＥＤ素子３１１Ｒおよび赤外線のＬＥＤ素子３１１Ｉのアノードと、Ｂ面に実装される場合の緑色のＬＥＤ素子３１１Ｇのカソードとで共用される。端子番号＃３の外部接続用パッド３２２ｃは、光源３１がＡ面に実装される場合の緑色のＬＥＤ素子３１１Ｇのカソードと、Ｂ面に実装される場合の赤色のＬＥＤ素子３１１Ｒおよび赤外線のＬＥＤ素子３１１Ｉのカソードとで共用される。端子番号＃４の外部接続用パッド３２２ｄは、光源３１がＡ面に実装される場合の緑色のＬＥＤ素子３１１Ｇおよび青色のＬＥＤ素子３１１Ｂのアノードと、Ｂ面に実装される場合の赤外線のＬＥＤ素子３１１Ｉのカソードとで共用される。端子番号＃５の外部接続用パッド３２２ｅは、光源３１がＡ面に実装される場合の青色のＬＥＤ素子３１１Ｂのカソードと、Ｂ面に実装される場合の青色のＬＥＤ素子３１１Ｂのカソードとで共用される。端子番号＃６の外部接続用パッド３２２ｆは、光源３１がＡ面に実装される場合の赤外線のＬＥＤ素子３１１Ｉのカソードと、Ｂ面に実装される場合の緑色のＬＥＤ素子３１１Ｇおよび青色のＬＥＤ素子３１１Ｂのアノードとで共用される。なお、前記構成は共用の構成の一例であり、この構成に限定されるものではない。
【００２６】
このほか、光源基板３２には、導光体カバー２２に位置決めするための位置決め部３２５が設けられる。本実施形態では、位置決め部３２５として、導光体カバー２２の位置決め部２２３が嵌合する貫通孔３２５ｂおよび切欠き部３２５ａが適用される構成を示す（図２Ａ、図２Ｂ、図４Ａ、図４Ｂ参照）。貫通孔３２５ｂは、主走査方向視において、副走査方向の一側寄りに設けられ、切欠き部３２５ａは、副走査方向の反対側の一側寄り見設けられる。導光体カバー２２の位置決め部２２３は、光源基板３２の位置決め部３２５である貫通孔３２５ｂと切欠き部３２５ａのそれぞれに嵌合できる。そして、嵌合した状態で、光源３１は、導光体２１の光入射面２１１に向かって光を照射する位置（導光体２１の光入射面２１１に対向する位置）に位置決めされる。
【００２７】
そして、光源基板３２のＡ面とＢ面の所定の片側表面（たとえばＡ面）に光源３１を実装することによって、第１の光源モジュール３ａが構成される。また、反対側の片側表面（たとえばＢ面）に光源３１を実装することによって、第２の光源モジュール３ｂが構成される。このように、本実施形態では、光源基板３２に両面配線型の回路基板が適用され、いずれかの片側表面に選択的に光源３１としてのＬＥＤパッケージが実装される。これにより、共通の光源基板３２によって第１の光源モジュール３ａと第２の光源モジュール３ｂとを作り分けることができる。したがって、２つの光源モジュール３ａ，３ｂで、光源基板３２の共通化を図ることができる。このため、照明装置２の部品コストの削減を図ることができる。
【００２８】
照明装置２の組み付け構造は、次のとおりである。図７は、導光体２１に導光体カバー２２が取り付けられた状態を模式的に示す斜視図であり、主走査方向の端部近傍を示す図である。図７に示すように、導光体２１に導光体カバー２２が取り付けられる。この際、導光体２１の係合部２１４を導光体カバー２２の被係合部２２２に係合させることによって、導光体カバー２２が導光体２１に位置決めされる（図１参照）。また、導光体２１に導光体カバー２２が取り付けられると、導光体２１の光拡散面２１２と導光体カバー２２の光反射面２２１とが対向（または接触）する。そして、２つの光源モジュール３ａ，３ｂのそれぞれが、導光体２１の主走査方向の両端の光入射面２１１のそれぞれに光を照射できるように配設される。この際、導光体カバー２２の位置決め部２２３が、光源基板３２の位置決め部３２５である貫通孔３２５ｂと切欠き部３２５ａのそれぞれに嵌合する。これにより、光源モジュール３ａ，３ｂの光源３１としてのＬＥＤパッケージと導光体２１の光入射面２１１とが位置決めされる。
【００２９】
（イメージセンサユニット）
照明装置２が適用されるイメージセンサユニット１について、図８〜図１０を参照して説明する。図８は、イメージセンサユニット１の構成例を模式的に示す分解斜視図である。図９は、イメージセンサユニット１の構成例を示す外観斜視図である。図１０は、イメージセンサユニット１の主走査方向端部近傍の内部の構成例を模式的に示す断面図である。イメージセンサユニット１は、照明装置２によって被照明体Ｐに光を照射し、被照明体Ｐからの光を検出することによって、被照明体Ｐを読み取る。
【００３０】
図８〜図１０に示すように、イメージセンサユニット１は、全体として、主走査方向に長い棒状の構成を有する。イメージセンサユニット１は、照明装置２と、フレーム１０と、カバー部材１１と、集光体１２と、主回路基板１３とを有する。主回路基板１３の上面には、イメージセンサ１４が設けられる。主回路基板１３の下面には、外部と電気的に接続するためのコネクタ１５が実装される。なお、主回路基板１３の下面に実装されるコネクタ１５は、イメージセンサユニット１を紙葉類識別装置５等の所定の機器（たとえば回路基板）に、電力や電気信号を送受信可能に接続できる構成であればよく、具体的な構成は限定されない。
【００３１】
フレーム１０は、イメージセンサユニット１の筺体である。フレーム１０は、黒色に着色されて遮光性を有する樹脂材料により形成される。樹脂材料としては、たとえば、ポリカーボネートが適用できる。また、フレーム１０は、上面視において主走査方向に長い長方形の形状を有する。フレーム１０の上部には、導光体カバー２２が取り付けられた導光体２１を収容可能な導光体収容室１０１と、集光体１２を収容可能な集光体収容室１０３とが形成される。フレーム１０の下部には、主回路基板１３を収容可能な回路基板収容室１０４が形成される（図１０参照）。集光体収容室１０３と回路基板収容室１０４とは、光が通過可能な開口部によって繋がっている。さらに、フレーム１０の主走査方向の両端部には、２つの光源モジュール３ａ，３ｂのそれぞれを収容可能な光源収容室１０２が形成される。また、フレーム１０の主走査方向の両端面には、イメージセンサユニット１を他の装置に取り付けるためのネジ孔１０５が形成される。たとえば、ネジ孔１０５は、主走査方向の両端面の下部であって、副走査方向の両端部近傍に形成される。
【００３２】
カバー部材１１は、フレーム１０の上側を覆うように配設される。カバー部材１１は、透明で、上面視において主走査方向に長い長方形の平板状の部材である。そして、カバー部材１１は、導光体２１や集光体１２を保護する機能や、被照明体Ｐに接して平面に維持する機能を有する。なお、イメージセンサユニット１が、後述するカバー部材１１に直接被照明体Ｐが接しないフラットベッド方式の画像読取装置に適用される場合には、カバー部材１１が設けられなくてもよい。ただし、異物の飛散や傷つきからイメージセンサユニット１を保護するために、カバー部材１１が配設されることが好ましい。また、カバー部材１１は、ガラスや、アクリルやポリカーボネート等の透明な樹脂材料の表面にガラスと同等な強度を有するようにハードコートを施した部材が適用できる。
【００３３】
集光体１２は、被照明体Ｐからの光をイメージセンサ１４（後述）の表面に結像する光学部材である。集光体１２には、たとえば、ロッドレンズアレイが適用される。一般的なロッドレンズアレイは、複数の正立等倍結像型の結像素子（ロッドレンズ）が主走査方向に直線状に配列された構成を有する。なお、集光体１２は、結像素子が直線状に配列される構成であればよく、具体的な構成は限定されない。たとえば、集光体１２は、複数列の結像素子が配列される構成であってもよい。集光体１２には、公知の各種マイクロレンズアレイなど、集光機能を有する公知の各種光学部材が適用できる。
【００３４】
主回路基板１３は、主走査方向に長い矩形状の構成を有する回路基板である。主回路基板１３の上面には、イメージセンサ１４が実装されるとともに、２つの光源モジュール３ａ，３ｂが取り付けられる。たとえば、図８に示すように、主回路基板１３の主走査方向の両端部には、光源モジュール３ａ，３ｂのそれぞれを嵌め込むことができる長孔１３１が形成される。これらの長孔１３１は、上下方向に貫通し、副走査方向に延伸する。そして、２つの光源モジュール３ａ，３ｂの光源基板３２は、これらの長孔１３１のそれぞれに嵌め込まれ、光源基板３２の外部接続用パッド３２２と主回路基板１３に設けられる所定の配線パターンのパッド（図略）とがハンダにより接続される。これにより、２つの光源モジュール３ａ，３ｂの光源基板３２に設けられる外部接続用パッド３２２ａ〜３２２ｆと、主回路基板１３の下面に実装されるコネクタ１５の所定の端子とが、主回路基板１３に設けられる配線パターンによって電気的に接続される。なお、前述のように、２つの光源モジュール３ａ，３ｂのピンアサインの相違は、主回路基板１３に設けられる配線パターンによって対応する。
【００３５】
イメージセンサ１４は、集光体１２により結像した光を電気信号に変換する。イメージセンサ１４は、集光体１２からの光を受光できるように、受光面を上側に向けて実装される。イメージセンサ１４には、たとえば、イメージセンサＩＣアレイが適用される。イメージセンサＩＣアレイは、複数のイメージセンサＩＣが主回路基板１３の表面に主走査方向に直線状に配列して実装されることによって構成される。イメージセンサＩＣは，イメージセンサユニット１の読取の解像度に応じた複数の受光素子（光電変換素子と称することもある）から構成される。このように、イメージセンサ１４は、複数のイメージセンサＩＣが、主走査方向に直線状に配列されて構成される。なお、イメージセンサ１４は、複数のイメージセンサＩＣが直線状に配列される構成のものであればよく、それ以外の構成は特に限定されない。たとえば、イメージセンサＩＣが千鳥配列のように複数列配列される構成であってもよい。なお、イメージセンサ１４としてのイメージセンサＩＣアレイを構成するイメージセンサＩＣには、従来公知の各種イメージセンサＩＣが適用できる。
【００３６】
イメージセンサユニット１の組み付け構造は、次のとおりである。導光体カバー２２が取り付けられた導光体２１と、集光体１２と、主回路基板１３とが、フレーム１０の導光体収容室１０１と、集光体収容室１０３と、回路基板収容室１０４のそれぞれに収容される。２つの光源モジュール３ａ，３ｂは、それぞれ、フレーム１０の光源収容室１０２に収容される。そして、２つの光源モジュール３ａ，３ｂの下部は、主回路基板１３に形成される長孔１３１に嵌め込まれ、光源基板３２の外部接続用パッド３２２ａ〜３２２ｆは主回路基板１３に設けられる所定の配線パターンのパッドにハンダ付けされる。これにより、光源３１の各ＬＥＤ素子３１１Ｒ，３１１Ｇ，３１１Ｂ，３１１Ｉは、主回路基板１３を介して給電を受けられる状態となる。また、フレーム１０の上側には、カバー部材１１が取り付けられる。
【００３７】
この状態では、図１０に示すように、導光体カバー２２の位置決め部２２３である突起が、光源モジュール３ａ，３ｂの光源基板３２の位置決め部３２５である貫通孔３２５ｂと切欠き部３２５ａのそれぞれに嵌合する。これにより、２つの光源モジュール３ａ，３ｂのそれぞれ光源３１は、導光体２１の両端面に設けられる光入射面２１１のそれぞれに対向する状態に位置決めされる。このため、２つの光源モジュール３ａ，３ｂが発する光は、導光体２１の光入射面２１１に入射する。被照明体Ｐに光を照射する場合には、２つの光源モジュール３ａ，３ｂは、同期して各色および赤外線のＬＥＤ素子３１１Ｒ，３１１Ｇ，３１１Ｂ，３１１Ｉを順次点灯する。２つの光源モジュール３ａ，３ｂが発する光は、導光体２１の光入射面２１１からその内部に入射し、光拡散面２１２において拡散するなどして内部を伝搬する。そして、導光体２１の光出射面２１３から被照明体Ｐの読取ラインＯに向けて出射する。
【００３８】
集光体１２とイメージセンサ１４とは、所定の間隔をおいて対向している。被照明体Ｐの読取ラインＯからの反射光は、集光体１２によってイメージセンサ１４の表面に結像する。イメージセンサ１４は、集光体１２によって結像した光学像を電気信号に変換する。
【００３９】
そして、イメージセンサユニット１は、被照明体Ｐに光を照射して反射光を検出する動作を、短時間で周期的に繰り返す。イメージセンサユニット１は、このような動作によって、被照明体Ｐに設けられる所定のパターン（たとえば、ホログラム）を可視光画像として読み取るとともに、被照明体Ｐを赤外画像として読み取る。
【００４０】
ところで、イメージセンサユニット１の筺体であるフレーム１０は、ネジによって、紙葉類識別装置５や画像読取装置（スキャナー７ａ，７ｂ）などといった他の装置に取り付けられる。このため、フレーム１０の主走査方向の両端面には、取付け用のネジ孔１０５が形成される。これらのネジ孔１０５は、図８と図９に示すように、主走査方向の両端面の、副走査方向の両端部近傍かつ底部近傍に形成される。このため、フレーム１０の内部（とくに、光源収容室１０２）には、ネジ孔１０５に対応する位置（具体的には、四隅部の下部）に肉厚部が突出している。なお、導光体２１と集光体１２とは、副走査方向に並べて配設されるため、導光体２１および２つの光源モジュール３ａ，３ｂは、副走査方向の一側寄りに偏倚した位置に配設される。このため、光源基板３２の下部の副走査方向の一側寄りは、フレーム１０の四隅部に接近する。そこで、本実施形態の光源モジュール３ａ，３ｂの光源基板３２には、ネジ孔１０５に対応する肉厚部との干渉を避けるため、下部の副走査方向の一側寄りに切欠部３１６が形成される。したがって、それぞれの光源基板３２は、光源３１が実装される面側からの垂直な方向視（主走査方向視）において、左右非対称の形状を有する。より具体的には、光源基板３２は、主走査方向視において、全体として略『Ｌ』字形状に形成される。そして、切欠き部３２５ａは、主走査方向視において、副走査方向の一側寄りに形成される。
【００４１】
このため、光源基板３２に片面配線の回路基板が適用される構成では、光源基板３２の共通化を図ることができない。すなわち、２つの光源モジュール３ａ，３ｂは、導光体２１を挟んで光源３１が実装される側の面どうしが向かい合うように配設される。このため、２つの光源モジュール３ａ，３ｂをそれぞれ光源３１が実装される側から見ると、切欠部３１６は、２つの光源モジュール３ａ，３ｂで互いに左右反対側に位置することになる。したがって、２つの光源モジュール３ａ，３ｂの光源基板３２に片面配線の回路基板が適用される構成では、光源基板３２を線対称（左右対称）の形状としなければならないから、光源基板３２を共通の構成にできない。
【００４２】
これに対して、本実施形態では、２つの光源モジュール３ａ，３ｂで、光源基板３２の共通化を図ることができる。すなわち、光源基板３２の所定の片側表面（たとえばＡ面）に光源３１を実装することにより第１の光源モジュール３ａが構成される。また、光源基板３２の他方の片側表面（たとえばＢ面）に光源３１を実装することにより第２の光源モジュール３ｂが構成される。このように、２つの光源モジュール３ａ，３ｂで、光源３１は光源基板３２の反対側の面に実装される。このような構成であれば、２つの光源モジュール３ａ，３ｂのそれぞれを光源３１が実装される側から見ると、左右対称の形状になる（図２Ａ、図２Ｂ、図４Ａ、図４Ｂ参照）。したがって、２つの光源モジュール３ａ，３ｂで、光源基板３２の共通化を図ることができる。
【００４３】
また、光源基板３２の副走査方向寸法は、上部と下部とで相違する。そして、上部の寸法が大きい部分に、光源３１を実装するための素子用パッド３２１ａ〜３２１ｆが設けられる。また、下部の寸法が小さい部分に、主回路基板１３に接続するための外部接続用パッド３２２ａ〜３２２ｆが設けられる。なお、位置決め部３２５は、上部の寸法が大きい部分と下部の寸法が小さい部分との境界近傍に設けられる。
【００４４】
なお、本実施形態では、ネジ孔１０５に対応する肉厚部との干渉を避ける構成を示したが、本発明はこのような構成に限定されるものではない。このような肉厚部以外の構造物や部材との干渉を避ける構成であってもよい。本発明は、２つの光源モジュール３ａ，３ｂで光源基板３２の形状が異なる構成（特に線対称である構成）に適用できる。そして、このような場合に、光源基板３２の共通化が容易となる。
【００４５】
（紙葉類識別装置）
イメージセンサユニット１が適用される紙葉類識別装置５について、図１１を参照して説明する。図１１は、紙葉類識別装置５の構成を模式的に示す断面図であり、主走査方向に直角な面での断面を示す図である。紙葉類識別装置５は、被照明体Ｐである紙幣などに光を照射すると共に、紙幣からの光を読み取り、読み取った光を用いて紙幣の種類や真贋の識別を行う。
【００４６】
図１１に示すように、紙葉類識別装置５は、イメージセンサユニット１と、紙幣を搬送する搬送ローラー５１と、コネクタ１５に配線接続された識別手段としての画像識別部５２とを備える。そして、紙葉類識別装置５には、搬送ローラー５１によって紙幣を挟んでカバー部材１１を介してイメージセンサユニット１上を読取方向（副走査方向）に搬送するための搬送経路Ａが設定される。なお、集光体１２の紙幣側の焦点は、搬送経路Ａの中央に設定される。
【００４７】
このような構成の紙葉類識別装置５の動作は、次のとおりである。紙葉類識別装置５に適用されるイメージセンサユニット１が、前述した動作によって、紙幣に設けられる所定のパターンを可視光画像として読み取るとともに、紙幣を赤外画像として読み取る。その後、画像識別部５２は、予め用意された真券である紙幣に可視光線および赤外線を照射することで得られた真券紙幣画像と、真贋判定時に判定対象となる紙幣の可視光画像と赤外画像とを比較することで、紙幣の真贋判定を行う。これは、真券である紙幣には、可視光下と、赤外光下とから得られる画像がそれぞれ異なるような領域が設けられているためである。なお、説明および図示を省略した部分については、従来の紙葉類識別装置と同じ構成が適用できる。また、画像識別部５２は主回路基板１３上に設けられる構成であってもよい。
【００４８】
図１２は、透過照明装置５３をさらに有する紙葉類識別装置５の構成を模式的に示す断面図である。透過照明装置５３は、光源モジュール５３１と、導光体５３２とを有する。透過照明装置５３の光源モジュール５３１および導光体５３２には、前述の光源モジュール３ａ，３ｂおよび導光体２１と同じ構成が適用される。そして、透過照明装置５３は、イメージセンサユニット１に対向する位置に、紙幣に向けて光を照射できるように設けられる。特に、透過照明装置５３は、その導光体５３２の出射面から照射される光の光軸と、イメージセンサユニット１の集光体１２の光軸とが一致するように配設される。
【００４９】
このような構成の紙葉類識別装置５の動作は、次のとおりである。イメージセンサユニット１に組み込まれる光源モジュール３ａ，３ｂおよび透過照明装置５３の光源モジュール５３１は、各色の可視光線および赤外線のＬＥＤ素子を順次点灯する。イメージセンサユニット１の照明装置２の導光体２１から紙幣に照射された光は、紙幣の表面で反射して集光体１２に入射し、イメージセンサ１４の表面に結像する。イメージセンサ１４は、結像した光学像を電気信号に変換することによって、紙幣からの反射光による可視光画像および赤外画像を取得する。一方、透過照明装置５３から紙幣に照射された光は、紙幣を透過してイメージセンサユニット１の集光体１２に入射し、イメージセンサ１４の表面に結像する。イメージセンサ１４は、結像した光学像を電気信号に変換することによって、紙幣からの透過光による可視光画像および赤外画像を取得する。
【００５０】
そして、イメージセンサユニット１の照明装置２および透過照明装置５３は、紙幣に光を照射して反射光と透過光を検出する動作を、短時間で交互に繰り返す。イメージセンサユニット１は、このような動作によって、紙幣に設けられる所定のパターン（たとえば、ホログラム）を可視光画像として読み取るとともに、紙幣を赤外画像として読み取る。このような構成によれば、紙葉類識別装置５は、紙幣の反射光および透過光による可視光画像および赤外画像を読み取ることができる。
【００５１】
さらに、紙葉類識別装置５が、２組のイメージセンサユニット１を有する構成であってもよい。図１３は、２組のイメージセンサユニット１を有する紙葉類識別装置５の構成を模式的に示す断面図である。図１３に示すように、２組のイメージセンサユニット１は、紙幣の搬送経路Ａを挟んで対向するように配設される。そして、２組のイメージセンサユニット１は、一方のイメージセンサユニット１の導光体２１から照射されて紙幣を透過した光が、他方のイメージセンサユニット１の集光体１２に入射するように配設される。
【００５２】
このような構成の紙葉類識別装置５の動作は、次のとおりである。２組のイメージセンサユニット１に組み込まれる照明装置２の光源モジュール３ａ，３ｂは、各色の可視光線および赤外線のＬＥＤ素子を順次点灯する。一方のイメージセンサユニット１の照明装置２から紙幣に照射された光は、紙幣の表面で反射して一方のイメージセンサユニット１の集光体１２に入射し、一方のイメージセンサユニット１のイメージセンサ１４の表面に結像する。一方のイメージセンサユニット１のイメージセンサ１４は、結像した光学像を電気信号に変換することによって、紙幣からの反射光による可視光画像および赤外画像を取得する。また、一方のイメージセンサユニット１の照明装置２から紙幣に照射された光は、紙幣を透過して他方のイメージセンサユニット１の集光体１２に入射し、他方のイメージセンサユニット１のイメージセンサ１４の表面に結像する。他方のイメージセンサユニット１のイメージセンサ１４は、結像した光学像を電気信号に変換することによって、紙幣からの透過光による可視光画像および赤外画像を取得する。このような構成によれば、紙葉類識別装置５は、紙幣の両面の反射画像を読み取ることができるとともに、透過画像を読み取ることができる。
【００５３】
なお、本実施形態においては、可視光線および赤外線を照射することで紙幣を可視光画像および赤外画像として読み取る構成を示したが、この構成に限定されない。たとえば、紫外線を照射する構成であっても構わない。また、被照明体Ｐとして紙幣が適用される構成を示したが、紙葉類の種類は限定されるものではない。たとえば、各種有価証券やＩＤカードなどが適用できる。
【００５４】
（画像読取装置（その１））
図１４は、本発明の実施形態であるイメージセンサユニット１を適用できる画像読取装置としてのフラットベッド方式のスキャナー７ａの構成を示す斜視図である。スキャナー７ａは、筺体７１ａと、被照明体載置部としてのプラテンガラス７２と、イメージセンサユニット１と、イメージセンサユニット１を駆動する駆動機構と、回路基板７３ａと、プラテンカバー７４とを有する。被照明体載置部としてのプラテンガラス７２は、ガラスなどの透明板からなり、筺体７１ａの上面に取り付けられる。プラテンカバー７４は、プラテンガラス７２に載置された被照明体Ｐを覆うように、筺体７１ａに対してヒンジ機構などを介して開閉可能に取付けられる。イメージセンサユニット１と、このイメージセンサユニット１を駆動するための駆動機構と、回路基板７３ａとは、筺体７１ａの内部に収容される。
【００５５】
駆動機構は、保持部材７５０と、ガイドシャフト７５１と、駆動モーター７５２と、ワイヤー７５４とを含む。保持部材７５０は、イメージセンサユニット１を囲むように保持する。ガイドシャフト７５１は、保持部材７５０をプラテンガラス７２に沿って読取方向（副走査方向）に移動可能にガイドする。駆動モーター７５２と保持部材７５０とはワイヤー７５４を介して連結されており、駆動モーター７５２の駆動力によってイメージセンサユニット１を保持する保持部材７５０を副走査方向に移動させる。そして、イメージセンサユニット１は、駆動モーター７５２の駆動力によって副走査方向に移動しながら、プラテンガラス７２に載置された被照明体Ｐである原稿などを読み取る。このように、イメージセンサユニット１と被照明体Ｐとを相対的に移動させながら、被照明体Ｐを読み取る。
【００５６】
回路基板７３ａには、イメージセンサユニット１が読み取った画像に所定の画像処理を施す画像処理回路や、イメージセンサユニット１を含むスキャナー７ａの各部を制御する制御回路や、スキャナー７ａの各部に電力を供給する電源回路などが構築される。
【００５７】
（画像読取装置（その２））
図１５は、本発明の実施形態であるイメージセンサユニット１を適用できる画像読取装置としてのシートフィード方式のスキャナー７ｂの構成を示す断面模式図である。図１５に示すように、スキャナー７ｂは、筺体７１ｂと、イメージセンサユニット１と、搬送ローラー７６と、回路基板７３ｂと、カバーガラス７７とを有する。搬送ローラー７６は、図示を省略した駆動機構によって回転し、被照明体Ｐを挟んで搬送する。カバーガラス７７は、イメージセンサユニット１の上側を覆うように設けられる。回路基板７３ｂには、イメージセンサユニット１を含むスキャナー７ｂの各部を制御する制御回路や、スキャナー７ｂの各部に電力を供給する電源回路などが構築される。
【００５８】
そして、スキャナー７ｂは、搬送ローラー７６によって被照明体Ｐを読み取り方向（副走査方向）に搬送しつつ、イメージセンサユニット１により被照明体Ｐを読み取る。すなわち、イメージセンサユニット１と被照明体Ｐとを相対的に移動させながら、被照明体Ｐを読み取る。なお、図１５においては、被照明体Ｐの片面を読み取るスキャナー７ｂの例を示すが、２つのイメージセンサユニット１が被照明体の搬送経路Ａを挟んで対向するように設けられ、被照明体Ｐの両面を読み取る構成であってもよい。
【００５９】
以上、図１４と図１５を参照して、本発明を適用できるイメージセンサユニット１を用いた画像読取装置の例としてスキャナー７ａ，７ｂを説明したが、イメージセンサユニット１を用いた画像読取装置の構成や種類は、これらに限定されるものではない。
【００６０】
（画像形成装置）
次に、本発明の実施形態である画像形成装置９について、図１６と図１７を参照して説明する。本発明の実施形態である画像形成装置９には、本発明の実施形態であるイメージセンサユニット１が適用される。図１６は、本発明の実施形態である画像形成装置９の外観斜視図である。図１７は、本発明の実施形態である画像形成装置９の筺体９１の内部に設けられる画像形成部９２を抜き出して示した斜視図である。図１６と図１７に示すように、画像形成装置９は、フラットベッド方式のスキャナーとインクジェット方式のプリンタとの複合機（ＭＦＰ；Ｍｕｌｔｉｆｕｎｃｔｉｏｎ  Ｐｒｉｎｔｅｒ）である。画像形成装置９は、画像を読取る画像読取手段としての画像読取部９３と、画像を形成する画像形成手段としての画像形成部９２とを有する。そして、画像形成装置９の画像読取部９３には、イメージセンサユニット１が組み込まれる。なお、画像形成装置９の画像読取部９３は、前述の画像読取装置と共通の構成が適用できる。したがって、画像読取装置と共通の構成については説明を省略する。
【００６１】
図１６に示すように、画像形成装置９には、操作部９４が設けられる。操作部９４には、操作メニューや各種メッセージなどを表示する表示部９４１と、画像形成装置９を操作するための各種操作ボタン９４２が設けられる。また、図１７に示すように、画像形成装置９の筺体９１の内部には、画像形成部９２が設けられる。画像形成部９２は、搬送ローラー９２１と、ガイドシャフト９２２と、インクジェットカートリッジ９２３と、モーター９２６と、一対のタイミングプーリー９２７とを有する。搬送ローラー９２１は、駆動源の駆動力によって回転し、記録媒体としての印刷用紙Ｒを副走査方向に搬送する。ガイドシャフト９２２は棒状の部材であり、その軸線が印刷用紙Ｒの主走査方向に平行となるように画像形成装置９の筺体９１に固定される。
【００６２】
インクジェットカートリッジ９２３は、ガイドシャフト９２２上をスライドすることによって、印刷用紙Ｒの主走査方向に往復動できる。インクジェットカートリッジ９２３は、たとえば、シアンＣ、マゼンタＭ、イエローＹ、黒Ｋのインクを備えたインクタンク９２４（９２４Ｃ，９２４Ｍ，９２４Ｙ，９２４Ｋ）と、これらのインクタンク９２４にそれぞれ設けられた吐出ヘッド９２５（９２５Ｃ，９２５Ｍ，９２５Ｙ，９２５Ｋ）から構成される。一対のタイミングプーリー９２７の一方は、モーター９２６の回転軸に取り付けられる。そして、一対のタイミングプーリー９２７は、印刷用紙Ｒの主走査方向に互いに離れた位置に設けられる。タイミングベルト９２８は、一対のタイミングプーリー９２７に平行掛けに巻き掛けられ、所定の箇所がインクジェットカートリッジ９２３に連結される。
【００６３】
画像形成装置９の画像読取部９３は、イメージセンサユニット１が読み取った画像を、印刷に適した形式の電気信号に変換する。そして、画像形成装置９の画像形成部９２は、画像読取部９３のイメージセンサユニット１が変換した電気信号に基づいて、搬送ローラー９２１、モーター９２６、インクジェットカートリッジ９２３を駆動し、印刷用紙Ｒに画像を形成する。このほか、画像形成装置９の画像形成部９２は、外部から入力された電気信号に基づいて画像を形成することができる。なお、画像形成装置９のうち、画像形成部９２の構成および動作は、従来公知の各種プリンタと同じ構成が適用できる。したがって、詳細な説明は省略する。なお、画像形成部９２としてインクジェット方式による画像形成装置を説明したが、電子写真方式、熱転写方式、ドットインパクト方式などどのような方式であっても構わない。
【００６４】
以上、本発明の実施形態および実施例について詳細に説明したが、前述の実施形態および実施例は、本発明を実施するにあたっての具体例を示したに過ぎない。本発明の技術的範囲は、前述の実施形態および実施例に限定されるものではない。本発明は、その趣旨を逸脱しない範囲において、種々の変更が可能である。
【００６５】
たとえば、本発明にかかる画像読取装置は、前述の実施形態に記載される構成のイメージスキャナーに限定されるものではない。また、画像形成装置も、インクジェット方式に限定されず、電子写真方式、熱転写方式、ドットインパクト方式などどのような方式であってもよく、前述の実施形態に記載される複合機に限定されるものではない。本発明にかかるイメージセンサユニットが適用される複写機やファクシミリも、本発明の画像読取装置に含まれる。また、光源と導光体２１とからなる照明装置２を、原稿Ｐに対する反射用光源として用いたが、透過用光源として用いてもよい。
【産業上の利用可能性】
【００６６】
本発明は、照明装置と、この照明装置が適用されるイメージセンサユニットと、このイメージセンサユニットが適用される画像読取装置や画像形成装置（たとえば、イメージスキャナー、ファクシミリ、複写機、複合機など）に有効に利用できるものである。
【図１】
0005813253.tif 000002
【図２Ａ】
0005813253.tif 000003
【図２Ｂ】
0005813253.tif 000004
【図３】
0005813253.tif 000005
【図４Ａ】
0005813253.tif 000006
【図４Ｂ】
0005813253.tif 000007
【図５】
0005813253.tif 000008
【図６】
0005813253.tif 000009
【図７】
0005813253.tif 000010
【図８】
0005813253.tif 000011
【図９】
0005813253.tif 000012
【図１０】
0005813253.tif 000013
【図１１】
0005813253.tif 000014
【図１２】
0005813253.tif 000015
【図１３】
0005813253.tif 000016
【図１４】
0005813253.tif 000017
【図１５】
0005813253.tif 000018
【図１６】
0005813253.tif 000019
【図１７】
0005813253.tif 000020